(57)【要約】 【課題】デザイン性を向上した物品収受装置において、部屋番号表示などの識別表示がなくても郵便物や宅配物の収受を確実かつスムーズに行なうことができるようにし、非常開錠機構によって装置のデザイン性が損なわれないようにする。【解決手段】第１の電子キー手段（１０８１）で郵便受の開錠操作が行なわれた場合、該ユーザないし該キー手段と対応づけられた郵便受（１００２）を開錠するとともに、郵便受開閉表示手段（１００４）を介して開錠した当該郵便受の位置を表示し、当該ユーザに対して着荷した宅配物を収容した宅配ボックス（１００３）があれば第２の電子キー手段（１０８２）の表示手段を介して当該ユーザに対する着荷あり、を表示させる制御を行なう。筐体区画の特定位置（１００１）には、その郵便受と宅配ボックスを個別に非常開錠する非常開錠装置を集合的に配置する。【選択図】図７
2011056127.tif 000002
【特許請求の範囲】
【請求項１】
宅配物または郵便物の集受に用いられる物品収受装置において、
配達された宅配物を収容するとともに電気錠により施錠可能な宅配ボックスと、
配達された郵便物を収容する郵便受と、
該郵便受の開閉状態を表示すべく該郵便受とともに配置された郵便受開閉表示手段と、
前記郵便受に割り当てられたユーザが保有するキー手段を用いて該ユーザないし該キー手段と対応づけられた前記郵便受を開錠するための第１の電子キー手段と、
前記キー手段を用いて前記宅配ボックスを開錠するための第２の電子キー手段と、
前記キー手段を用いて前記第１の電子キー手段で前記郵便受の開錠操作が行なわれた場合、該ユーザないし該キー手段と対応づけられた前記郵便受を開錠するとともに、前記郵便受開閉表示手段を介して開錠した当該郵便受の位置を表示し、当該ユーザに対して着荷した宅配物を収容した前記宅配ボックスがあれば前記第２の電子キー手段の表示手段を介して当該ユーザに対する着荷あり、を表示させる制御手段を有することを特徴とする物品収受装置。
【請求項２】
請求項１に記載の物品収受装置において、前記制御手段は、前記キー手段を用いて前記第１の電子キー手段で前記郵便受の開錠操作が行なわれた場合、該ユーザないし該キー手段と対応づけられた前記郵便受を開錠するとともに、当該ユーザに対して着荷した宅配物を収容した前記宅配ボックスがあり、かつ該宅配ボックスが該郵便受と同一の筐体区画に収容されている場合、または、該宅配ボックスが該郵便受と異なる筐体区画に収容されており、かつその筐体区画の宅配ボックスまたは該郵便受が他のユーザによって開錠されていない場合に限り、当該ユーザに対して着荷した宅配物を収容した前記宅配ボックスを開錠することを特徴とする物品収受装置。
【請求項３】
請求項１または請求項２に記載の物品収受装置において、前記郵便受ないし前記宅配ボックスの開錠は、前記郵便受ないし前記宅配ボックスの扉をわずかに開放した所定位置まで開くポップアップ開錠によって行なうことを特徴とする物品収受装置。
【発明の詳細な説明】
【技術分野】
【０００１】
本発明は物品収受装置、特にマンションなどの集合住宅に配置される宅配物または郵便物の集受に用いられる物品収受装置に関するものである。
【背景技術】
【０００２】
マンションなどの集合住宅などには、いわゆる宅配ボックスなどと呼ばれる物品収受装置が設置されることがある。宅配ボックスは、特定の居住者宛ての宅配物を受け取ったり特定の居住者が発送する宅配物を集荷したりするための、施錠可能かつ物理的な鍵やＩＤカードを用いた鍵により開錠可能な宅配ボックスを複数有する、ロッカーに類似した物品収納装置ないし宅配物集合保管装置である。
【０００３】
このような宅配ボックスの物品収納ボックスの受容口の扉は、多くの場合オートロックなどにより画成されたマンションの居住者空間の外側（公共側）に開口し、取り出し口の扉は居住者空間の内側（プライベート側）に配置される。
【０００４】
また、集合住宅などには、宅配ボックスが設置されていなくても、郵便受は必ず配置される。オートロック化されたマンションなどでは、各居住者の居室ごとの郵便受を多数配列した集合型の郵便ポストが用いられており、その受容口は、通常、オートロックにより画成されたマンションの居住者空間の外側に開口し、取り出し口は居住者空間の内側に配置される。
【０００５】
さらに、物品収受を目的とする、という共通性から、上記の宅配ボックスを、郵便ポストとともに配置する場合の構成として下記特許文献１に示されるような構成が既に知られている。また、宅配ボックスを、郵便ポストとともに配置する場合に、受取人を識別して宅配ボックスと郵便ポストの開錠を連動させる構成も知られている（例えば下記の特許文献２）。
【先行技術文献】
【特許文献】
【０００６】
【特許文献１】特開２００４−２４８７４２号公報
【特許文献２】特開平０５−２８７９４３号公報
【発明の概要】
【発明が解決しようとする課題】
【０００７】
近年では、マンションなどの集合住宅の付加価値を高めるべく、郵便受や宅配ボックスなどの機器についてもデザイン性の向上が求められている。
【０００８】
たとえば、居住者側の空間においては、その壁面に配置される郵便受や宅配ボックスのダイヤルキーなどの突起部や取手を除去、あるいはできるだけ目立たないように配置し、これらの扉が壁面と区別できないような態様とすることが考えられている。
【０００９】
また、従来では、居住者が自分の郵便受を他の郵便受から識別するために、プレートやシールによって郵便受の扉に部屋番号などの識別表示を行なうのが普通であったが、このような部屋番号などの識別表示を省略することができれば、郵便受の配置面をよりすっきりと構成することができる、と考えられる。
【００１０】
さらに、マンションなどの集合住宅で集合的に配置される旧来の郵便受は、それぞれの郵便受にダイヤルキーなどを設け、居住者がダイヤル操作をして開錠および施錠を行なうものが多かったが、これを宅配ボックスの開閉用のカードキーを用いて電気錠を介して開閉できるようにすると、開閉操作が容易になる。しかし、カードキーを忘れた場合、あるいは電気錠やシステムの故障などの場合を考えて、このような構成においても非常開錠装置（たとえば丸鍵やダイヤルキーを用いて開閉する）を設けておく必要がある。たとえば、部屋番号表示や扉の取手などを省略できたとしても、非常開錠装置が露出していては上記のような壁面から目立たないように郵便ポストや宅配ボックスを配置しデザイン性を向上する、という目的を達成できなくなってしまう。
【００１１】
また、宅配物の受取人を識別して宅配ボックスと郵便受の開錠を連動させる構成においては、たとえば、郵便受を開錠した時に当該居住者に着荷した宅配物を収容した宅配ボックスの扉を自動的に開錠する構成が考えられる。しかしながら、無条件で当該居住者に着荷した宅配物を収容した宅配ボックスの扉をむやみに開錠してしまうと、その近傍で別の郵便受や宅配ボックスを操作している他の居住者の操作を邪魔し、また、危険を与えかねない、といった問題がある。
【００１２】
そこで、本発明の課題は、デザイン性を向上した物品収受装置において、部屋番号表示などの識別表示がなくても郵便物や宅配物の収受を確実かつスムーズに行なうことができるようにすることにある。また、本発明の他の課題は、デザイン性を向上した物品収受装置において、郵便物や宅配物を収容するボックスの非常開錠機構を体裁よく収容し、非常開錠機構によって装置のデザイン性が損なわれないようにすることにある。また、本発明の他の課題は、別の郵便受や宅配ボックスを操作している他の居住者の操作を阻害するような問題を生じずに、宅配物の受取人を識別して宅配ボックスと郵便受の開錠を連動させることができるようにすることにある。
【課題を解決するための手段】
【００１３】
上記課題を解決するため、本発明においては、宅配物または郵便物の集受に用いられる物品収受装置において、配達された宅配物を収容するとともに電気錠により施錠可能な宅配ボックスと、配達された郵便物を収容する郵便受と、該郵便受の開閉状態を表示すべく該郵便受とともに配置された郵便受開閉表示手段と、前記郵便受に割り当てられたユーザが保有するキー手段を用いて該ユーザないし該キー手段と対応づけられた前記郵便受を開錠するための第１の電子キー手段と、前記キー手段を用いて前記宅配ボックスを開錠するための第２の電子キー手段と、前記キー手段を用いて前記第１の電子キー手段で前記郵便受の開錠操作が行なわれた場合、該ユーザないし該キー手段と対応づけられた前記郵便受を開錠するとともに、前記郵便受開閉表示手段を介して開錠した当該郵便受の位置を表示し、当該ユーザに対して着荷した宅配物を収容した前記宅配ボックスがあれば前記第２の電子キー手段の表示手段を介して当該ユーザに対する着荷あり、を表示させる制御手段を有する構成を採用した。
【００１４】
あるいはさらに、前記制御手段は、前記キー手段を用いて前記第１の電子キー手段で前記郵便受の開錠操作が行なわれた場合、該ユーザないし該キー手段と対応づけられた前記郵便受を開錠するとともに、当該ユーザに対して着荷した宅配物を収容した前記宅配ボックスがあり、かつ該宅配ボックスが該郵便受と同一の筐体区画に収容されている場合、または、該宅配ボックスが該郵便受と異なる筐体区画に収容されており、かつその筐体区画の宅配ボックスまたは該郵便受が他のユーザによって開錠されていない場合に限り、当該ユーザに対して着荷した宅配物を収容した前記宅配ボックスを開錠する構成を採用した。
【００１５】
あるいはさらに、前記郵便受ないし前記宅配ボックスの開錠は、前記郵便受ないし前記宅配ボックスの扉をわずかに開放した所定位置まで開くポップアップ開錠によって行なう構成を採用した。
【発明の効果】
【００１６】
上記の特徴的な構成により、本発明によれば、第１の電子キー手段で郵便受の開錠操作が行なわれた場合、該ユーザないし該キー手段と対応づけられた郵便受を開錠するとともに、郵便受開閉表示手段を介して開錠した当該郵便受の位置を表示し、当該ユーザに対して着荷した宅配物を収容した宅配ボックスがあれば第２の電子キー手段の表示手段を介して当該ユーザに対する着荷あり、を表示させるようにしているので、デザイン性を向上した物品収受装置において、部屋番号表示などの識別表示がなくても郵便物や宅配物の収受を確実かつスムーズに行なうことができる、という優れた効果がある。
【００１７】
また、第１の電子キー手段で郵便受の開錠操作が行なわれた場合、該ユーザないし該キー手段と対応づけられた前記郵便受を開錠するとともに、当該ユーザに対して着荷した宅配物を収容した宅配ボックスがあり、該宅配ボックスが該郵便受と同一の筐体区画に収容されている場合、または、該宅配ボックスが該郵便受と異なる筐体区画に収容されており、かつその筐体区画の宅配ボックスまたは該郵便受が他のユーザによって開錠されていない場合に限り、当該ユーザに対して着荷した宅配物を収容した前記宅配ボックスを開錠する構成を採用することにより、別の郵便受や宅配ボックスを操作している他の居住者の操作を阻害するような問題を生じずに、宅配物の受取人を識別して宅配ボックスと郵便受の開錠を連動させることができる、という優れた効果がある。
【００１８】
また、特に、郵便受ないし宅配ボックスの開錠は、郵便受ないし宅配ボックスの扉をわずかに開放した所定位置まで開くポップアップ開錠によって行なう構成によれば、デザイン性を向上した物品収受装置において、部屋番号表示などの識別表示がなくても開いた郵便受ないし宅配ボックスの扉の位置やその開放状態を居住者に認識させることができ、郵便物や宅配物の収受を確実かつスムーズに行なうことができる、
【図面の簡単な説明】
【００１９】
【図１】本発明を採用した物品収受装置の居住者側の構成を示した説明図である。
【図２】図１の物品収受装置の業者側の構成を示した説明図である。
【図３】図１の物品収受装置の郵便受の業者側の構成を示した説明図である。
【図４】図１の物品収受装置の郵便受の居住者側の構成を示した説明図である。
【図５】図１の物品収受装置のレーン下部に設けられる表示器の構成を示した説明図である。
【図６】図１の物品収受装置の制御系の構成を示したブロック図である。
【図７】図６のＣＰＵにより実施される郵便物取り出し制御を示したフローチャート図である。
【図８】図６のＣＰＵにより実施される宅配ボックス連動制御を示したフローチャート図である。
【図９】図１の物品収受装置の郵便受の居住者側の扉の構成を詳細に示した分解斜視図である。
【図１０】図１の物品収受装置のサービスボックスに設けられる非常開錠装置の操作部の構成を示した正面図である。
【図１１】図１の物品収受装置のサービスボックスに設けられる非常開錠装置の操作部の構成を示した側面図である。
【図１２】図１の物品収受装置のサービスボックスに設けられる非常開錠装置の操作部の構成を示した斜視図である。
【図１３】図１の物品収受装置のサービスボックスに設けられる非常開錠装置により操作される郵便受の非常開錠機構の構成を示した説明図である。
【発明を実施するための形態】
【００２０】
以下、本発明を実施するための最良の形態の一例として、宅配ボックスと郵便ポストを併設して成るマンションなどの集合住宅に設置可能な物品収受装置に関する実施例を示す。
【実施例】
【００２１】
＜全体構成＞
図１〜図５に本発明を採用した物品収受装置の構成を示す。図１および図２は、宅配ボックスと郵便ポストを併設して成るマンションなどの集合住宅に設置可能な物品収受装置のそれぞれプライベート側（以下、居住者側ともいう）および公共側（以下、業者側ともいう）の構成を示している。ここで、「公共側」（業者側）はマンションなどの集合住宅のエントランスより外側で、郵便物や宅配物を配達するためにその配達業者がアクセス可能な集合住宅の建物の部分を、エントランスより内側の居住者（あるいはその許可を得た者）のみがアクセス可能な集合住宅の建物の部分をいう。また、プライベート側（居住者側）は、マンションなどの集合住宅のエントランスより内側で、通常郵便物ないし宅配物の取り出し側に相当する。
【００２２】
まず、図２を用いて物品収受装置の業者側の構成につき説明する。物品収受装置の郵便受１００２は、居住者の各所帯に専有的に割り当てられる。
【００２３】
また、宅配ボックス１００３、１００６は、本実施例では各居住者で共有使用されるものであり、業者側が宛先と関連づけて空いているボックスに宅配物を収容する。この着荷操作はコンソール１００５ａを用いて行なう。
【００２４】
業者は、コンソール１００５ａを用いて現在空いている宅配ボックス１００３、１００６…を選択して宛先の部屋番号を指定し、図２の業者側の宅配ボックス１００３、１００６の扉の電気錠を開き、宅配物を収容し、扉を閉じる。
【００２５】
コンソール１００５ａは、操作表示部（タッチパネル：後述の図６の１４１）、宅配物の受領を証明するためのレシートを発行するプリンタ（あるいは捺印を行なうためのスタンパなど：後述の図６の１３４）から成る受領証明装置１００５ｂを有する他は後述の居住者側のコンソール１００５ａと同等の構成を有する。
【００２６】
本実施例の物品収受装置の郵便受１００２および宅配ボックス１００３、１００６は、レーンと呼ばれる筐体区画１０１、１０２…１０７に収容されている。
【００２７】
各郵便受１００２の正面は、本実施例では図３に示すように構成され、ハガキなどの薄い書状や印刷物を投函するための投函口１００２１、厚みのある書状や新聞などの印刷物を投函するための投函口１００２２を有する。投函口１００２２には塵埃の進入やのぞき見を防止するための可動式のフラップなどを必要に応じて設ける。このフラップ（あるいは郵便受１００２正面の特定部位）には配達者の識別のため部屋番号や氏名などの表示を付与することができる。本実施例では、郵便受１００２に対する投函には特にコンソール１００５ａを用いた認証操作などは必要とせず、投函口１００２１、１００２２には印刷物、書状などを投函できるものとする。
【００２８】
図２（図１）の筐体区画１０１〜１０５の構成は共通であり、本実施例では１０所帯分縦２列の郵便受１００２（１０所帯分）を中央部に、また下部に中型の宅配ボックス１００３を１つ収容する。本実施例では１０所帯分縦２列の郵便受１００２の上部の空間は後述のサービスボックス１００１（図２）に相当するものである。このサービスボックス１００１の構造については後述する。
【００２９】
筐体区画１０６は、中型の宅配ボックス１００３を上部に１つ、下部に２つ有し、また上から２つめの区画に上記の業者側のコンソール１００５ａを収容する。
【００３０】
筐体区画１０７は中型の宅配ボックス１００３を上部に１つ、下部に宅配ボックス１００３を縦に３つ並べたのと同等の大きさを有する大型宅配ボックスを有する。
【００３１】
符号１０８は、図２で説明する居住者側の後述の簡易操作部１０８に相当する。
【００３２】
次に図１を用いて本実施例の物品収受装置の居住者側の構成を説明する。図２は本実施例の物品収受装置の居住者側の配置を示している。
【００３３】
図１の構成は、図２の背面に相当するから、各レーン（筐体区画１０１、１０２…１０７）、および簡易操作部１０８の配置は図１の配置を左右反転した態様となっている。また、物品収受装置の郵便受１００２、宅配ボックス１００３、１００６は各々業者側から図２の居住者側に連通した宅配ボックスとして構成されており、各々居住者側に面した扉を有する。したがって、各ボックスの配置はちょうど図２の業者側に示されたボックス配置も左右反転した態様となっている。各郵便受１００２、宅配ボックス１００３、１００６の扉はそれぞれ電気錠により施錠／開錠される。
【００３４】
図４は郵便受１００２の居住者側に面する扉１００２３の正面を示している。この扉１００２３の中央には表示器１００４を配置する。ＬＥＤなどから成る表示器１００４は、好ましくは、扉１００２３全体を覆う半透明アクリルのような化粧パネルの裏側に配置（後述）し、点灯時のみ所定色で破線で図示したような範囲を発光させるようにしておく。本実施例では、後述のような制御を行なうことにより、この表示器１００４を発光させることにより居住者（以下、必要に応じてユーザという）が自分の郵便受の位置と、その開放（開錠）状態を認識することができる。
【００３５】
各レーン（筐体区画１０１、１０２…１０７）の最上部、郵便受１００２の上の位置はサービスボックス１００１を設ける。サービスボックス１００１内には、各レーン（筐体区画１０１、１０２…１０７）の収容ボックスへの配線の幹線部分などの回路部材を収容するとともに、本実施例では後述するような非常開錠装置を集合的に設けることができる。この非常開錠装置は、各レーン（筐体区画１０１、１０２…１０７）に収容された個々の郵便受１００２（ないし宅配ボックス１００３）を電子キー手段による施錠状態とは独立して個別に非常開錠するためのものである。サービスボックス１００１に配置する非常開錠装置の構成については後述する。サービスボックス１００１は、郵便受１００２の横２つ分の大きさで、開閉自由な非常開錠装置を覆う扉（図１２の１００１１）を有するものとする。
【００３６】
郵便受１００２を有するレーン（筐体区画１０１、１０２…１０５）の最下部には、図５に示すように各種の情報の報知や警報発生のために用いられる３つの表示器１１０１、１１０２、１１０３を配置する。表示器１１０１、１１０２、１１０３はＬＥＤなどを用いて構成し、その発光色はたとえば表示器１１０１＝緑、表示器１１０２＝赤、表示器１１０３＝青、とする。
【００３７】
このうち、たとえば表示器１１０３（青）は郵便受１００２に関する制御状態（たとえば開錠状態）を、表示器１１０１（緑）は宅配ボックス１００３、１００６に関する制御状態（たとえば開錠状態）を、表示器１１０２（赤）は各種の警報を発生するために用いることができる。
【００３８】
筐体区画１０６の２段目は、業者側コンソール１００５ａの位置に対応し、居住者側コンソール１００５となっている。このボックス内には、後述の制御回路などを含む制御部を収容する。居住者側コンソール１００５は、居住者の保有するカードキーを読み取るためのカードリーダー、各種情報表示のための液晶表示パネル、操作キーなどから構成される。コンソール１００５は常時装置面に露出させてもよいが、好ましくは開閉自由の扉によって操作時以外は隠蔽できるようにしておく。
【００３９】
なお、本実施例では筐体区画１０６の上部に１つ、下部には２つ、（中型）宅配ボックス１００３を配置するものとしたが、必要なら筐体区画１０６は全て制御系の部材を収容するために用いてもよい。筐体区画１０７には前述のように中型および大型の宅配ボックス１００３、１００６を配置している。
【００４０】
居住者側において、簡易操作部１０８には第１、および第２の電子キー手段として、２つの操作部１０８１、１０８２を設けている。これら操作部１０８１、１０８２は、半透明アクリルのパネル背面に、それぞれ表示用のＬＥＤ（２１３１、２１３２）と、居住者が提示するカードキーを読み取るためのカードリーダーを配置したものである。
【００４１】
このうち、操作部１０８１は、郵便受１００２に割り当てられたユーザ（居住者）が保有するカードキー（キー手段）によって、該ユーザに割り当てられた郵便受１００２を開錠するための第１の電子キー手段として用いる。この操作部１０８１のＬＥＤ（２１３１）はたとえば青色発光とする（そして、たとえば最下部の表示器１１０３と連動させる）。
【００４２】
また、操作部１０８２は、前記カードキーによって宅配ボックス１００３、あるいは１００６を開錠するための第２の電子キー手段として用いる。この操作部１０８２のＬＥＤ（２１３２）はたとえば緑色発光とする（そして、たとえば最下部の表示器１１０１と連動させる）。
【００４３】
このように、本実施例では、従来より用いられていたコンソール１００５を用いずとも、装置全体の郵便受１００２、宅配ボックス１００３、１００６に共通して、操作部１０８１、操作部１０８２のみを設けた簡易操作部１０８を設け、操作部１０８１、操作部１０８２のカード読み取りと、発光表示機能のみを利用して郵便受１００２、宅配ボックス１００３、１００６の開閉制御をスマートに行なうことができる。この制御手順については後でより詳細に説明する。
【００４４】
本実施例では、サービスボックス１００１、中型および大型の宅配ボックス１００３、１００６、コンソール１００５など、装置面の主な部分を覆う構成部材の専有面積を郵便受１００２の大きさを単位として決めてある点に特徴がある。すなわち、サービスボックス１００１は郵便受１００２の横２個分の大きさ、コンソール１００５および宅配ボックス１００３は４個分の大きさ、宅配ボックス１００６は１２個分の大きさとしてある。
【００４５】
このため、図１に破線で示すように、図４で上述した郵便受１００２の扉１００２３を覆うのと同じ化粧パネルを用いて、郵便受１００２のみならずサービスボックス１００１、中型および大型の宅配ボックス１００３、１００６、コンソール１００５などの扉表面を覆うことができる。
【００４６】
これにより、図１に示した物品収受装置の配置面のほぼ全体を、あたかも郵便受１００２の大きさに相当するタイルで覆われたタイル面のようにすっきりと見せることができ、物品収受装置の居住者側のデザイン性を向上することができる。特に、後述の制御を行なうことにより本実施例では郵便受１００２の部屋番号表示が不要であり、また後述する非常開錠装置をサービスボックス１００１内に配置することによって郵便受１００２や宅配ボックス１００３、１００６の非常開錠装置などの部材を装置面に設ける必要がなくなり、また、コンソールも同じくタイル面のように見える扉で覆うことによって、居住者側の装置面のデザイン性は著しく向上する。
【００４７】
なお、各レーンを構成する筐体区画、郵便受１００２、ないし前記宅配ボックス１００３、簡易操作部１０８などの主要部は公知の物品収容装置やロッカー装置などと同様鋼鈑などから構成されるものとする。
【００４８】
＜制御回路＞
図４は、上述の物品収受装置の制御系の構成を示している。図４においては、以上で説明した各構成部材については同一の参照符号を用いており、各部材の機能については以下では必要な場合を除き、重ねて説明しない。
【００４９】
制御回路３００の部分は、コンソール１００５、１００５ａ（図１および図２）の間の空間などに配置される。
【００５０】
制御回路３００は、ＣＰＵ３０１、ＲＯＭ３０２、ＲＡＭ３０３、と各部との入出力を行うための入出力回路３０４、３０５、３０６から構成される。
【００５１】
宅配ボックス全体の制御は、ＣＰＵ３０１により行なわれる。ＣＰＵ３０１が実行する制御手順は、ＣＰＵ３０１のプログラムなどとしてＲＯＭ３０２に格納され、ＣＰＵ３０１はＲＡＭ３０３をワークエリアとしてＲＯＭ３０２に格納された制御プログラムを実行することにより物品収受装置全体の制御を行う。
【００５２】
ＲＯＭ３０２には、後述の制御プログラムのほか、郵便受１００２と、その郵便受１００２を使用する居住者の対応関係を示す情報をデータテーブル化して格納しておく。この郵便受１００２と居住者の対応関係を示すデータテーブルは、ＲＡＭ３０３上に置いてもよいが、その場合、データテーブルの格納領域は停電時なども保持できるようにバックアップするものとする。
【００５３】
入出力回路３０４には、業者側のコンソール１００５ａの操作表示部１３１、プリンター１３４（あるいはスタンパなどの受領証明装置１００５ｂ）、また、居住者側のコンソール１００５の操作表示部１４１が接続されている。
【００５４】
さらに、入出力回路３０４には、各宅配ボックス１００３、１００６の表側の扉の電気錠３１０、裏側の扉の電気錠３１１、宅配ボックス１００３、１００６内の宅配物の有無を検出するためのフォトインタラプタなどから成る荷物センサー３１２が接続されている。
【００５５】
また、入出力回路３０４には、簡易操作部１０８の操作部１０８１、１０８２が接続されている。操作部１０８１、１０８２は上述のようにその主要部を構成するカードセンサーと、表示器としてのＬＥＤ２１３１、２１３２から構成される。
【００５６】
一方、入出力回路３０５には、各郵便受１００２の居住者側に設けられた扉１００２３（図４）を施錠／開錠するための電気錠２１１５と、郵便受１００２の居住者側に設けられた扉中央の表示器（ＬＥＤ）１００４が接続されている。
【００５７】
図６では複数の郵便受１００２の電子回路を集合的に１ブロックで図示しているが、当然ながら、ＣＰＵ３０１は入出力回路３０５を介して郵便受１００２の各々を特定して信号入出力を行えるものとする。たとえば、電気錠２１１５の１つを開錠する場合は、居住者の操作に応じて特定された郵便受１００２の電気錠２１１５を開錠する。
【００５８】
入出力回路３０６には、通信部３１３が接続されている。通信部３１３は、マンションの情報システム６００と通信できるよう構成されている。この情報システム６００は、マンションのインターフォン、電子ロックなどの制御システムで、たとえば宅配物や郵便物の有無を示す信号をマンションの各居室のインターフォンに対して送信することにより、宅配物や郵便物の有無に応じてインターフォンのコンソールに配置されたＬＥＤやＬＣＤパネルの対応する表示を行わせることができる。情報システム６００と入出力回路３０６の間のインターフェースは、複数の制御信号線などから構成できる。
【００５９】
また、通信部３１３は、インターネットの通信回線４００を経由して管理センター５００の通信部５０１と通信することができる。通信部３１３、５０１はたとえば、ダイヤルアップ接続、あるいは光ファイバやＡＤＳＬなどのネットワーク接続方式を用いて通信回線４００と接続するネットワークインターフェースを有する。
【００６０】
管理センター５００の通信部５０１には、管理センターサーバ５０２が接続されている。管理センターサーバ５０２は、操作部５０４、表示部５０３を有するたとえばパーソナルコンピュータなどから成るサーバコンピュータで、管理センター５００のオペレータ５０５は、操作部５０４、表示部５０３を介して制御部３００と通信し、宅配ボックス１００３、１００６、郵便受１００２の現在の状態をモニタしたり、郵便受１００２や宅配ボックス１１１〜１１４の強制開錠などの遠隔制御も行うことができる。
【００６１】
次に上記構成における各部の動作につき説明する。
【００６２】
＜宅配ボックスの動作＞
宅配ボックス１００３、１００６に対して宅配業者が宅配物（配達物）を収容する場合、次のような動作を行う。この収容操作および制御については、従来の宅配ボックスと同様であるから簡単に説明する。
【００６３】
宅配業者は、業者側のコンソール１００５ａの操作表示部１３１（図６）を操作しながら収容作業を進める。ここでは宅配業者は収容（着荷）モードを選択する。
【００６４】
未収容の宅配ボックス１００３、１００３…、１００６は開錠状態であり、宅配業者は特定の所帯宛の宅配物を未収容の宅配ボックス１００３、１００３…、１００６のうちいずれかのボックスに収容する。このとき、宅配ボックス１００３、１００６のいずれのボックスにも収容を許すようにしてもよいが、操作表示部１３１で空いているボックスを表示して、そのボックスに荷物を収容するように宅配業者に指示を与えてもよい。宅配業者に宅配ボックス１００３、１００６のボックスを選択させる場合には、操作表示部１３１で荷物を収容するボックスの番号などを入力させるか、ＣＰＵ３０１が各ボックス１００３、１００６の荷物センサー３１２を監視することなどにより実際に荷物が収容されたボックスを特定する。
【００６５】
宅配ボックス１００３、１００６のうちいずれかのボックスに宅配物を収容し、その扉を閉成すると、ＣＰＵ３０１は電気錠３１０、３１１をロックし、宛先の居住者が開錠するまで開かないよう、その宅配ボックスの表裏の扉を制御する。なお、このとき、該当の宅配ボックスの扉が閉成されたにもかかわらず荷物センサー３１２により物品を検出できていない場合にはエラー処理（ブザー音による警報や、操作表示部１３１での表示）を行うようにしてもよい。
【００６６】
以上までのいずれかのタイミングにおいて、業者は宛先の居住者を識別する部屋番号や氏名などの識別情報、さらに業者を識別する情報（識別番号や業者名など）をコンソール１００５ａの操作表示部１３１を介して入力する。
【００６７】
収容操作が完全に終了すると、プリンター１３４（受領証明装置１００５ｂ）で宅配業者に対してレシートを発行する。なお、収容操作を特定の業者のみに限定したいなどの場合には、収容操作を許容する特別なＩＤ情報を記録した宅配業者ＩＤカードなどを配布し、コンソール１００５ａのカードセンサ（不図示）に提示させ、認証が正しく行なえた場合にのみ収容操作を許容するような制御を行ってもよい。
【００６８】
宅配ボックス１００３、１００６の宅配ボックス１００３、１００６に荷物が収容されると、ＣＰＵ３０１は、ＲＡＭ３０３などの特定領域に宛先の居住者の識別情報に関連づけて荷物が収容されているボックスの識別情報（ボックス番号など）を記憶する。また、通信部３１３を介して、情報システム６００に通知を行ない、該当の居住者のインターフォンの着荷ＬＥＤなどを点灯させ、居住者に着荷を報知することができる。また、同時に、ＣＰＵ３０１はＲＯＭ３０２（あるいはＲＡＭ３０３）のデータテーブルから、配達宛先の居住者に対応づけられた郵便受１００２を特定でき、後述の簡易操作部１０８を用いた郵便物取り出し制御手順（図７）において、郵便受１００２の開錠操作が行なわれた時に着荷がある旨、報知を行うことができる（後述のステップＳ１４、Ｓ１５）。
【００６９】
居住者に対しては、あらかじめ居住者ごとに固有のＩＤを記録したカードキー（ＩＤカード）を配布しておく。居住者は、居住者側、ないし業者側のいずれかのコンソール１００５、１００５ａを用いて宅配された配達物の取り出しを行うことができる。このコンソール１００５、１００５ａを用いた宅配物取り出し制御は公知であり、例えば、居住者はコンソール１００５、ないし１３０の操作表示部１４１ないし１３１を介して取り出しモードを指示する。ＣＰＵ３０１はカードキーをコンソールのカードセンサ（不図示）に提示する（あるいは他の暗証番号を入力させる）認証を居住者に要求し、この認証が成功すると、ＣＰＵ３０１は該当の宅配ボックスの居住者が操作しているコンソール１００５、１００５ａの側の電気錠を開錠し、これにより居住者は宅配された配達物を取り出すことができる。
【００７０】
＜郵便ポストの動作＞
本実施例では、複数の居住者にそれぞれ割り当てられた郵便受１００２の扉１００２３を電気錠（図６、図１３の１００２４）で施錠することができる。居住者側、ないし業者側のいずれかのコンソール１００５、１００５ａを用いた郵便物取り出しは、上記の宅配物の宅配ボックス１００３、１００６からの取り出しと同様に行なうことができる。この制御は従来と同様であるからここではこれ以上詳細に説明しない。
【００７１】
また、本実施例では、簡易操作部１０８の操作部１０８１、１０８２（図１）を用いて郵便受１００２と、宅配ボックス１００３、１００６の開錠／施錠制御を集中制御することができる。操作部１０８１、１０８２は、簡易操作部１０８に集中して設けてあり、また、ＬＥＤ２１３１、２１３２さらに郵便受１００２の扉１００２３の表示器１００４の連動表示によって、居住者（ユーザ）は容易に自分の郵便受１００２の開閉と宅配物の取り出しを制御することができる。
【００７２】
たとえば、居住者はカードキーを簡易操作部１０８の操作部１０８１に提示すると、ＬＥＤ２１３１を点灯させるとともに該当の郵便受１００２の扉１００２３の電気錠（１００２４）を開錠して扉１００２３をポップアップ開錠し、さらに表示器１００４を点灯させて、その居住者の郵便受１００２の位置、およびその扉１００２３が開いたことを報知する。そして、その居住者に対して着荷した宅配物がいずれかの宅配ボックスに収容されていれば、簡易操作部１０８の操作部１０８２のＬＥＤ２１３２を点灯させることにより当該郵便受１００２の居住者宛ての配達物が宅配ボックス１００３、１００６の宅配ボックス（１００３、１００６のいずれか）に配達されていることを報知することができる。
【００７３】
郵便受１００２への配達は次のように行なわれる。
【００７４】
本実施例の場合、郵便物あるいは他の配達物は、配達員が郵便受１００２の投函口１００２１、１００２２に自由に投函することができる。居住者側の扉１００２３は、通常の状態では扉１００２３が閉成されていれば、ＣＰＵ３０１によりその電気錠（１００２４）はロック状態に制御される。
【００７５】
このようにして配達された配達物（郵便物）を簡易操作部１０８を用いて取り出す場合の制御は図７、図８に示すようにして行うことができる。図示の手順はＣＰＵ３０１の制御手順としてＲＯＭ３０２に格納される。
【００７６】
図７のステップＳ１０では、居住者がカードキーを簡易操作部１０８の操作部１０８１に提示して認証を行ない、その認証が成功したか否かを判定する。この認証が成功しなければ続く処理は実行しない。なお、数度、認証操作が失敗した場合は、それ以上の操作を受け付けない、などのエラー処理を行なってもよい。
【００７７】
認証が成功すると、ステップＳ１２において、操作部１０８１のＬＥＤ２１３１を点灯させる。
【００７８】
さらにステップＳ１４では、該当の居住者宛ての宅配物が宅配ボックス１００３、１００６の宅配ボックス１００３、１００６に存在するか否かを判定する。この判定は、操作中の郵便受１００２に対応する宛先（居住者）と、現在、宅配物を収容している宅配ボックス１００３、１００６に関してＲＡＭ３０３に記憶している当該宅配物の宛先が一致しているかを検査することにより行う。ここで宅配物が存在しない場合にはステップＳ１６に、宅配物が存在する場合にはステップＳ１５に移行する。
【００７９】
当該居住者宛の宅配物が存在しない場合にはステップＳ１６において、簡易操作部１０８の操作部１０８２のＬＥＤ２１３２を消灯（消灯状態を維持）させ、宅配物なしを報知するとともに、操作表示部１４１で同様に郵便物なしを表示し、あるいはさらにスピーカで音声案内を行うなどして郵便物なしを居住者に報知し、ステップＳ１８に移行する。
【００８０】
一方、当該居住者宛の宅配物が存在する場合にはステップＳ１５において、ＬＥＤ２１３２を点灯（点灯状態を維持）させ、宅配物ありを表示する。すなわち、郵便受１００２の開錠のために操作した操作部１０８１の近傍で操作部１０８２のＬＥＤ２１３２が点灯するため、居住者は自分宛ての着荷を確実かつ速やかに認識することができる。なお、ここで、さらにスピーカで音声案内を行うなどして郵便物ありを居住者に報知してもよい。この処理の後、ステップＳ１７に移行する。
【００８１】
ステップＳ１７では、図８の宅配ボックス連動制御を行う。この宅配ボックス連動制御では、後述のようにして特定の条件に基づき、当該居住者宛の宅配物が収容されている宅配ボックス１００３、１００６の開錠制御を行なう。
【００８２】
その後、ステップＳ１８において、当該の郵便受１００２の電気錠２１１５を開錠する。このとき、電気錠２１１５を開錠することにより、郵便受１００２の扉１００２３がわずかに（数ＣＭ程度）開いた位置で停止するようにポップアップ開錠を行なう。これと同時に、ＣＰＵ３０１は、簡易操作部１０８の操作部１０８１のＬＥＤ２１３１を点灯（点灯状態を維持）したまま、扉１００２３中央に設けた表示器１００４を点灯させる。
【００８３】
このように、郵便受１００２の扉１００２３がわずかに開くようにポップアップ開錠し、かつその扉１００２３中央に設けた表示器１００４を点灯させることによって、居住者側の郵便受１００２の扉１００２３に部屋番号などの識別表示を付与しておかなくても、扉１００２３のポップアップ開錠状態と、さらに表示器１００４が点灯することによって、居住者は自分の開いた郵便受１００２の位置と、それが開いたことを明確に認識できる。
【００８４】
図１のように、簡易操作部１０８を物品収受装置の端部（右端または左端など）に配置しておけば、並んでいる複数の郵便受１００２を側方からすかして見ることになり、扉１００２３のポップアップ開錠状態と表示器１００４の点灯は、周囲の他の郵便受１００２を扉１００２３の閉成状態とその表示器１００４の消灯状態から際立って非常に明瞭に認識することができる。
【００８５】
ステップＳ１９では、居住者による郵便物の取り出しが行なわれ、郵便物を取り出すと居住者はステップＳ２０において郵便受１００２の扉１００２３を閉じる。扉１００２３の電気錠２１１５は、この閉成動作によって施錠され、扉２１１３をロックする。
【００８６】
次に、図７のステップＳ１７で行なう宅配ボックス連動制御につき図８を用いて説明する。
【００８７】
図７のステップＳ１４で宅配物が存在する場合にはステップＳ１５において簡易操作部１０８の操作部１０８２のＬＥＤ２１３２を点灯させた後、図８の宅配ボックス連動制御を行なう。
【００８８】
図８のステップＳ２５では、宅配物が着荷している宅配ボックス１００３が居住者の開錠した郵便受１００２と同じレーン（筐体区画１０１、１０２…）にあるか否かを判定する。ステップＳ２５が肯定された場合にはステップＳ２６において当該の宅配ボックス１００３の扉をポップアップ開錠する。このポップアップ開錠の態様は郵便受１００２について上述したのと同様に行なうことができる。
【００８９】
一方、宅配物が着荷している宅配ボックス１００３が居住者の開錠した郵便受１００２と同じレーン（筐体区画１０１、１０２…）にない場合は、ステップＳ２７で当該の他のレーンで他のボックス（郵便受１００２や宅配ボックス１００３、１００６）が開錠（使用）されていないか否かを判定する。ステップＳ２７で当該の他のレーンで他のボックス（郵便受１００２や宅配ボックス１００３、１００６）が開錠（使用）されている間は、ステップＳ２８において操作部１０８２のＬＥＤ２１３２を点滅させるなどの警告表示を行ないつつ、当該の他のボックス（郵便受１００２や宅配ボックス１００３、１００６）が開錠（使用）状態が解除される（使用されている郵便受１００２や宅配ボックス１００３、１００６の扉が閉成される）まで待機する。そして、当該の郵便受１００２や宅配ボックス１００３、１００６の扉が閉成された状態であれば、ステップＳ２６に移行して、当該の宅配ボックス１００３の扉をポップアップ開錠する。
【００９０】
なお、図８では、ステップＳ２５を設けて、図７の処理で開錠操作中の郵便受１００２と同一レーンの宅配ボックスであれば直ちにステップＳ２６に移行して当該宅配ボックスを開錠するようにしているが、これは、図７の処理では簡易操作部１０８の操作部１０８１で開錠操作できる郵便受１００２が１つだけであり、このため同じレーンには開錠中の郵便受１００２が存在しない、ということを前提としているからであるが、より簡易な（ただし競合操作防止の観点からはより厳密な）制御においてはこのステップＳ２５は省略し、同一レーンで他のボックス（郵便受１００２または宅配ボックス１００３）が開錠状態にあるか否かを判定するステップＳ２７から図８の宅配ボックス連動制御処理を開始するように構成してもよい。
【００９１】
以上に説明したように、図７のような制御により、居住者が自分のカードキーを用いて簡易操作部１０８の操作部１０８１で郵便受１００２の開錠操作を行なうと、操作部１０８１のＬＥＤ２１３１の点灯、扉１００２３のポップアップ開錠状態、表示器１００４の点灯により、居住者は自分の開いた郵便受１００２の位置と、それが開いたことを明確に認識でき、さらに自分宛ての宅配物を収容した宅配ボックスがあれば、ほぼ同時に操作部１０８２のＬＥＤ２１３２が点灯することによって、自分宛ての宅配物の着荷を知ることができる。
【００９２】
さらに、居住者宛ての宅配物が着荷している場合は、図８のような制御を行なうことにより、宅配物が着荷している宅配ボックス１００３が居住者の開錠した郵便受１００２と同じレーン（筐体区画１０１、１０２…）にある場合、また、他のレーンであっても他の居住者がそのレーンで他のボックス（郵便受１００２や宅配ボックス１００３、１００６）が開錠（使用）されていない場合には、郵便受１００２の開錠操作に連動して、当該の宅配ボックス１００３をポップアップ開錠することができ、郵便受１００２の配達物、および宅配物をスムーズに回収することができる。
【００９３】
また、上述の宅配業者によるコンソール１００５ａを用いた着荷においては、まず宛先の部屋番号を業者に入力させ、着荷を行なう宅配ボックスはその部屋番号の郵便受１００２と同一レーンで空いている宅配ボックスから優先的に選択させるよう制御を行なえば、図８の制御においては、ステップＳ２５〜Ｓ２６への分岐が生じて宅配ボックスを自動的に開錠できる確率が高くなり、また、居住者の郵便物、および宅配物の回収動作の際の移動距離も小さくでき、物品収受装置の利便性を大きく向上することができる。
【００９４】
なお、図７の制御において、各レーン（筐体区画１０１、１０２…）の最下部の表示器（ＬＥＤ）１１０１、１１０２、１１０３のうち、表示器１１０１（緑色）は、宅配ボックスのための操作部１０８２のＬＥＤ（２１３２）と連動させ、表示器１１０３（青色）は、郵便受１００２のための操作部１０８１のＬＥＤ（２１３１）と連動させて点灯／消灯制御することができる。これにより、各レーン（筐体区画１０１、１０２…）の最下部の表示器によって、簡易操作部１０８の操作部１０８１、１０８２と同じ表示を視認させることができる。
【００９５】
また、各レーン（筐体区画１０１、１０２…）の最下部の表示器（ＬＥＤ）１１０３は、赤色発光とし、各種警告に用いることができる。たとえば、図７のステップＳ１９の郵便物取り出しにおいて、所定時間以上（たとえば１分〜３分程度、など）郵便受１００２の扉１００２３が開錠状態となっている場合は、扉１００２３の表示器１００４や、操作部１０８１のＬＥＤ２１３１を点滅させるなどして警告を行なうが、その時同時にレーン下部の表示器（ＬＥＤ）１１０３を点灯、あるいは点滅させることにより、最下部の表示器によっても警告表示を居住者（ユーザ）に認識させることができる。
【００９６】
＜郵便受扉の構造＞
ここで、図９を参照して、郵便受１００２の扉１００２３に上述の表示器１００４を装着するための構造の一例を示しておく。
【００９７】
図９の例では、左側に示した郵便受１００２の扉１００２３は、鋼鈑を折り曲げ加工することなどにより図示のような箱状に形成されている。扉１００２３の周囲は、折り曲げにより一定の強度を得られるよう額縁状の枠体に形成されている。なお、この構造はあくまでも一例であり、樹脂やＦＲＰにより扉１００２３を構成してもよいのはいうまでもない。扉１００２３の中央には、表示器１００４の発光部の大きさを決める丸穴（ただしこの形状は自由）１００３２を形成してある。簡易操作部１０８の位置からでも容易に視認できるよう、丸穴１００３２の大きさは比較的大きくしてある（たとえば直径数ｃｍ程度とする）。
【００９８】
扉１００２３の前面には、半透明アクリル板などから成る化粧パネル１００３１をダボ結合などの手法により装着する。扉１００２３は鋼鈑などの不透明部材であり、後述のＬＥＤ素子１００４０を点灯させると化粧パネル１００３１の丸穴１００３２の範囲がＬＥＤ素子１００４０の発光色で発光する。
【００９９】
この例では、扉１００２３の右側に不図示のヒンジが結合され、このヒンジを介して郵便受１００２に対して扉１００２３が揺動自在に支持される。左側端部には、電気錠（後述の図１３：２１１５）でロックされるフック１００２５が固定されている。フック１００２５の電気錠（２１１５）のラッチ爪と当接する部位には、開閉時の騒音を防止するためにナイロンその他の樹脂から成る緩衝材１００４２を巻装してある。
【０１００】
表示器１００４の発光素子としてのＬＥＤ素子１００４０はたとえば基板１００３９に実装しておき、この基板１００３９を鋼鈑折り曲げなどにより構成した裏パネル１００３４の装着枠１００３７に装着する。装着枠１００３７は、たとえば図示のような形状に鋼鈑折り曲げなどにより構成したポケット状の部材であり、その中央には基板１００３９のＬＥＤ素子１００４０の照明光を透過させる丸穴１００３８を設けてある。
【０１０１】
基板１００３９を装着枠１００３７に装着した後、裏パネル１００３４をビス穴１００３５、１００３６などを用いて扉１００２３の裏面に装着し、このようにしてＬＥＤ素子１００４０が扉１００２３の丸穴１００３２の背面中央に望むように取り付けられる。ＬＥＤ素子１００４０の駆動電流は、図６の入出力回路３０５からフレキシブルケーブルのような配線１００４１を経由して基板１００３９に伝達される。
【０１０２】
図示のような形状に裏パネル１００３４を形成し、裏パネル１００３４と扉１００２３の裏面の間に空間を確保し、そこに不図示の防音材、たとえば紙や樹脂などから成るハニカム材や発泡材を詰め込んでおくことにより、扉１００２３の開閉時の騒音を軽減することができる。また、電気錠２１１５と当接するフック１００２５を樹脂巻き（緩衝材１００４２）としておくことにより、さらに扉１００２３の開閉時の騒音の軽減を期待することができる。郵便受１００２の開閉音は、集合住宅コミュニティでは、深夜などにおいてはしばしば問題となる場合があり、このような防音構造を設けておけばそのようなトラブルも軽減できる。
【０１０３】
＜非常開錠装置＞
以下では、図１０〜図１３を用いて、本実施例の特徴的な非常開錠装置の構造および配置につき説明する。
【０１０４】
まず、図１３を用いて、郵便受１００２の施錠機構につき説明する。図１３は郵便受１００２内部の構造を模式的に示している。図１３において、符号１００２１、１００２２は上述の業者側の２つ投函口で、図１３はこれら投函口が設けられる業者側を図の右にとって内部の構造を示している。
【０１０５】
なお、ここでは郵便受１００２の施錠機構を例示するが、電気錠２１１５による施錠／開錠、およびその非常開錠操作については、宅配ボックス１００３、１００６にもほぼ同様の構造が設けられ、図１３で説明するのと同様の動作が可能であるものとする。
【０１０６】
図１３において符号２１１５は、図６に示したものと同様の電気錠で、郵便受１００２の側壁（居住者側から見て左右のいずれか）内面に固定される。電気錠２１１５はほぼコの字型で扉１００２３のフック１００２５（図９）と係合するラッチ爪１００２６を有する。電気錠２１１５の内部構造の詳細はここでは説明しないが、電気錠２１１５は主に次のような機能を有するものとする。
【０１０７】
すなわち、電気錠２１１５のラッチ爪１００２６は扉１００２３が表側から押し込まれて矢印のように進入してくる扉１００２３のフック１００２５を受け、ラッチ爪１００２６が揺動してフック１００２５を迎え入れた後は、機械的にラッチ爪１００２６からフック１００２５が外れないようにロックする。このラッチ爪１００２６のロック状態は、電気錠２１１５内部に設けられたソレノイド（不図示）によって解除されるまで機械的に保持されるよう電気錠２１１５内部の機構が構成されている。電気錠２１１５内部のソレノイドは、上記開錠処理（図７ステップＳ１８）において、ＣＰＵ３０１により入出力回路３０５を介して制御され、ラッチ爪１００２６のロックを解除する。
【０１０８】
このような電気錠２１１５の制御系に故障が生じると、通常のカードキーの操作による開錠が不可能になる場合がある。あるいは、電気錠２１１５の制御系が正常であっても、たとえば郵便受１００２内部に詰め込まれてしまった内容物の内圧（扉１００２３を図の左方に押す力）などに起因して、ラッチ爪１００２６とフック１００２５が電気錠２１１５のソレノイドの操作力を超える力で強く圧接してしまった場合などにおいては、ソレノイドに開錠信号を送信しても開錠動作が行なえなくなってしまう場合がある。
【０１０９】
このような事態に備え、郵便受１００２（宅配ボックス１００３、１００６でも同様）の電気錠２１１５には非常開錠レバー１００２７を設けておく。非常開錠レバー１００２７は、ソレノイドがラッチ爪１００２６の開錠機構（レバー、カムなどから構成される）操作する時よりも小さな入力でも、ラッチ爪１００２６の開錠機構に対して大きな操作力を発生できるような形状を有する連動機構を介してラッチ爪１００２６の開錠機構と結合されている。たとえば、非常開錠レバー１００２７の連動機構をソレノイド側の操作系よりも大きなレバー比を有する連動レバー、カムなどを用いることによりこのような構成が可能となる。
【０１１０】
従来の物品収受装置では、非常開錠レバー１００２７は、たとえば居住者側の郵便受１００２（宅配ボックスでも同様）の扉の近傍にタンブラーキーなどを配置し、これを特定の丸鍵などで操作できるようにした構造が知られている。しかしながら、このような非常開錠のための鍵穴を配置すると、郵便受１００２の配置面の外観が煩雑となり、物品収受装置のデザイン性が大きく損なわれる、という問題があった。
【０１１１】
そこで本実施例では、フレキシブルワイヤ４００６を介して非常開錠レバー１００２７を操作するようにし、同じレーンに配置された各郵便受１００２（あるいは宅配ボックス１００３）のフレキシブルワイヤ４００６の操作側の端部を同じレーン（筐体区画１０１、１０２…）のサービスボックス１００１内に集め、非常開錠装置の操作部をこのサービスボックス１００１内に集合的に配置する構成とした。フレキシブルワイヤ４００６は、自転車、バイクなどの車両において用いられるブレーキワイヤ、クラッチワイヤなどと同様にアウターチューブの中にインナーワイヤ４００６ａを収容したもので、アウターチューブ両端をリジッドに固定した状態でインナーワイヤ４００６ａを引くことにより一端から他端に操作力を伝達する機械部品である。
【０１１２】
図１３では、フレキシブルワイヤ４００６のインナーワイヤ４００６ａの一端に設けられたタイコ部分が電気錠２１１５後部の非常開錠レバー１００２７に係合しており、フレキシブルワイヤ４００６のアウターの端部は電気錠２１１５近傍に配置された支持部材４００６ｄに固定してある。フレキシブルワイヤ４００６の他端は郵便受１００２の上面など（位置は任意である）に配置された透孔４００６ｃを経由して後述のサービスボックス１００１内に配置される非常開錠装置に向かう。
【０１１３】
図１０はサービスボックス１００１に設けられる非常開錠装置の操作部の構成を、図１１はサービスボックス１００１に設けられる非常開錠装置の操作部の構成を、図１２はサービスボックス１００１に設けられる非常開錠装置の操作部の構成を居住者側からの正面図、側面図、居住者側からの斜視図としてそれぞれ示している。
【０１１４】
図１２に示すように、サービスボックス１００１は居住者側に設けられた扉１００１１により開閉できるようにしてある。扉１００１１は、マグネットラッチのような開閉自由のラッチ機構１００１２によりロックできる（通常、誰にでも開閉自由としておいてよい）。
【０１１５】
サービスボックス１００１には、同じレーン（筐体区画１０１、１０２…）に設けられた郵便受１００２の電気錠２１１５の非常開錠レバー１００２７をそれぞれ操作するダイヤルキー４００２、４００２…が複数個（この例では、図１の郵便受１００２の数よりも多い郵便受１０個分）配置される。ダイヤルキー４００２、４００２…の近傍には部屋番号などの識別情報を付与（たとえばシールや銘板などを貼付する）しておくことができる。このような識別情報を付与しても、通常、サービスボックス１００１の扉１００１１を閉成しておけば、物品収受装置を配置する壁面のデザイン性を損なうことがない。
【０１１６】
また、この例では、同一レーンに配置される宅配ボックス１００３の非常開錠レバー１００２７を操作するためのタンブラーキー４００３が１つ配置されている。符号４００３ａは、同じ宅配ボックス１００３の非常開錠レバー１００２７を業者側から操作するためのタンブラーキーの後部を示している（タンブラーキー４００３ａは必ずしも設けなくてもよい）。なお、宅配ボックス１００３用のタンブラーキーは、丸鍵などの回転操作力をフレキシブルワイヤ４００６のインナーを引く力に変換するギヤやカム、レバーなどの機構を内蔵するものとする（詳細不図示）。
【０１１７】
図１０、図１１は、サービスボックス１００１内に設けられる非常開錠装置の操作部の構成をより詳細に示しており、図１１は図１０のＡ−Ａ’線に沿った断面図である。図１０、図１１の構造では、宅配ボックス１００３用のタンブラーキーは符号４００３で示す１つのみが設けられている。郵便受１００２用のダイヤルキー４００２は、図１０では少なくも１５個分配置する例を示しているが、この個数は任意であり、たとえば図１の場合なら同一レーンの１０個の郵便受１００２を操作できる数だけ設ければ良い。各ダイヤルキー４００２は各々直方体形状の鋼鈑などから構成されたケース４００１にそれぞれ収容されており、各ケース４００１は不図示のフレーム内に収容、固定される。
【０１１８】
ダイヤルキー４００２の施錠／開錠機構は、公知の郵便受１００２などに用いるダイヤルキーと同様であるが、異なるのはダイヤル番号を所定の順序で選択するよう回してダイヤルキー４００２のロックを解除すると、ダイヤルキー４００２がケース４００１内で図１０および図１２の手前方向（図１１の左方向）に引っ張ることができるようになり、またダイヤルキー４００２をランダムに回転させてロックさせるとケース４００１内で引っ張る操作が禁止される点である。
【０１１９】
このような動作は、たとえば図１１に示すような機構により可能となる。図１１の構成では、ダイヤルキー４００２にはロック爪４００５が設けられており、このロック爪４００５は、ダイヤル４００４を所定の順序でダイヤル番号を選択するよう回さない限り、ケース４００１内面に設けた溝に係合して外れないように制御される。
【０１２０】
ダイヤル４００４を所定の順序でダイヤル番号を選択するよう回すと、ロック爪４００５がケース４００１の溝から外れ、ダイヤルキー４００２はダイヤル４００４の部分を持って引くことによりケース４００１内を図１１の左方に引っ張ることができる。
【０１２１】
ケース４００１内には、図１３で説明したフレキシブルワイヤ４００６の他端が収容され、そのアウターはケース４００１内の適当な位置にリジッドに固定され（たとえば図１３で説明したような支持部材４００６ｄを配置しておく）、そしてフレキシブルワイヤ４００６のインナー（４００６ａ）のタイコ部分はダイヤルキー４００２の後端部に結合される。
【０１２２】
このような構成により、居住者（あるいは管理人）は自分の郵便受１００２が収容されているレーンのサービスボックス１００１の扉１００１１を開き、ダイヤルキー４００２を定められた番号（あらかじめ居住者（あるいは管理人）に通知しておく）通りに回し、ダイヤル４００１を引くことにより、フレキシブルワイヤ４００６を経由して郵便受１００２の電気錠２１１５の非常開錠レバー１００２７を操作して郵便受１００２の扉１００２３を非常開錠することができる。また、管理人など権限のある人物は、同様にタンブラーキー４００３を用いて宅配ボックスの扉を非常開錠することができる。
【０１２３】
本実施例によれば、同じレーン（筐体区画１０１、１０２…）に配置されたボックス（郵便受、宅配ボックス）の全ての非常開錠装置（の少なくとも操作部）を、同じレーンのサービスボックス１００１内に集合的に配置し、扉で覆うようにしているので、非常開錠装置によって物品収受装置を配置する壁面のデザイン性を損なうことがない。サービスボックス１００１の扉１００１１には、たとえば上述のように郵便受の扉と同様の化粧パネルをタイル状に装着しておくことにより、郵便受の配置面と同様な外観を保持でき、スマートな外観を得ることができる。
【符号の説明】
【０１２４】
１０１、１０２…１０７  筐体区画
１０６  筐体区画
１０８  簡易操作部
１４５  鍵センサー
３００  制御回路
３０１  ＣＰＵ
３０２  ＲＯＭ
３０３  ＲＡＭ
３０４、３０５、３０６  入出力回路
３０５  入出力回路
３１３  通信部
４００  通信回線
５００  管理センター
５０１  通信部
５０２  管理センターサーバ
５０３  表示部
５０４  操作部
６００  情報システム
１００１  サービスボックス
１００２  郵便受
１００３、１００６  宅配ボックス
１００４  表示器
１００５ａ  コンソール
１０８１、１０８２  操作部
１１０１、１１０２、１１０３  表示器
２１１５  電気錠
２１３１、２１３２  ＬＥＤ
４００２  ダイヤルキー
４００３  タンブラーキー
４００６  フレキシブルワイヤ
１００２１、１００２２  投函口
１００２３  扉
１００２５  フック
１００２６  ラッチ爪
１００２７  非常開錠レバー
１００３１  化粧パネル
１００３２  丸穴
１００３４  裏パネル
１００３７  装着枠
１００３９  基板
１００４０  ＬＥＤ素子
１００４２  緩衝材
【図１】
2011056127.tif 000003
【図２】
2011056127.tif 000004
【図３】
2011056127.tif 000005
【図４】
2011056127.tif 000006
【図５】
2011056127.tif 000007
【図６】
2011056127.tif 000008
【図７】
2011056127.tif 000009
【図８】
2011056127.tif 000010
【図９】
2011056127.tif 000011
【図１０】
2011056127.tif 000012
【図１１】
2011056127.tif 000013
【図１２】
2011056127.tif 000014
【図１３】
2011056127.tif 000015